(57)【特許請求の範囲】
【請求項１】
左右に相互に対向して立設される一対の支柱、及びこれら支柱の上部間に架設される支持梁と、前記支持梁の下部に走行手段を介して走行可能にかつ回動手段を介して回動可能に吊り下げられる複数の走行棒と、前記各走行棒に折り畳み可能に取り付けられる複数のパネルとを備え、前記各支柱及び前記支持梁により仮設ゲートを形成し、前記仮設ゲートを前記各パネルの折り畳み又は展開により開閉する仮設パネルゲートにおいて、
前記各走行棒の上下所定の位置にそれぞれ取り付けられ、前記各パネルの上下各端部を前記各パネルの正面側及び背面側から挟持して支持可能な溝形形状をなす上下の複数のパネルフレームと、
前記上下の各パネルフレームにおいて相互に隣り合う各パネルフレームの上面、下面で当該上面、下面の端部付近の所定の位置にリング形状を有する取付部材が当該リング形状を前記各パネルフレームの折り畳み時の相互の対向面となる一方の側面から外側に突出して取り付けられ、当該取付部材に連結されて、前記各パネルフレームの端部間に取り付けられ、当該各パネルフレームを所定の一方向に折り畳み可能にかつ展開可能に前記隣り合う各パネルフレームの展開時にのみ当該隣り合う各パネルフレームの端部間を所定角度の略Ｖ字形若しくは略逆Ｖ字形又は略逆ハの字形若しくは略ハの字形に規制して保持可能な上下の複数のチェーンを含む索状部材からなる連結部材と、
を備え、
前記各パネルを前記上下の各パネルフレーム間に支持して、前記隣り合う各パネルフレーム間の各連結部材の案内により折り畳み又は展開する、
ことを特徴とする仮設パネルゲート。
【請求項２】
上下のパネルフレームはそれぞれ各パネルの上端部及び下端部の延びる方向に対応する長さ方向略中央を各走行棒の所定の位置に合わせて略十字形に取り付けられ、前記各走行棒が前記各パネルを前記各パネルの背面側の両側部間略中央で支持可能な支持構造とする請求項１に記載の仮設パネルゲート。
【請求項３】
上下の各パネルフレームと各走行棒との取付位置で前記各パネルフレームに略筒状の取付部材が設けられ、前記各走行棒に前記略筒状の取付部材が嵌挿可能な開口が形成されて、前記各パネルフレームは、前記各パネルフレームの前記取付部材が前記各走行棒の前記開口に嵌挿され、当該各取付部材に取付棒が挿着されて、前記各走行棒に着脱可能に取り付けられる請求項１又は２に記載の仮設パネルゲート。
【請求項４】
各パネル間に前記各パネル間を連結し、前記各パネル間の隙間を塞ぐカバーを着脱可能に備える請求項１乃至３のいずれかに記載の仮設パネルゲート。
【発明の詳細な説明】
【技術分野】
【０００１】
本発明は、仮設パネルゲートに関し、特に、工事現場等において工事用車両が出入するための出入口に仮設して使用する仮設パネルゲートに関する。
【背景技術】
【０００２】
一般に、建設工事現場や資材置場などは、安全管理の必要から、当該現場の周囲に、組立式の仮設フェンスが設置され、その一部に、資材や機材等を搬入、搬出するための工事用車両などが出入りするための出入口が設けられて、そこに、組立式の仮設パネルゲートが設置される。
この種の仮設パネルゲートは、例えば特許文献１により開示されているように、左右に相互に対向して立設される一対の支柱、及びこれら支柱の上部間に架設される支持梁と、支持梁の下部に走行手段を介して走行可能にかつ回動手段を介して回動可能に吊り下げられる複数の走行棒と、各走行棒に折り畳み可能に取り付けられる複数のパネルとを備える。複数のパネルはそれぞれ２枚のパネル材が蝶番を介して連結されて形成され、これら２枚のパネル材が各走行棒間に一端が一方の走行棒に蝶番を介して、他端が他方の走行棒に蝶番を介して折り畳み可能にかつ展開可能に取り付けられる。このようにして各支柱及び支持梁により仮設ゲートが形成され、この仮設ゲートを各パネルの折り畳み又は展開により開閉するようになっている。
【先行技術文献】
【特許文献】
【０００３】
【特許文献１】特開２００５−７６４２４公報
【発明の概要】
【発明が解決しようとする課題】
【０００４】
しかしながら、上記従来の仮設パネルゲートでは、複数のパネルはそれぞれ２枚のパネル材が蝶番を介して連結されていて、これら２枚のパネル材が各走行棒間に一端が一方の走行棒に蝶番を介して、他端が他方の走行棒に蝶番を介して折り畳み可能にかつ展開可能に取り付けられ、各パネルの組み立てに多くの蝶番を用いるので、組み立てが容易でなく、また、このような連結形式のパネルを折り畳んでいくと、各パネルが支持梁の前側又は後側の一方の側に折り畳まれ、特に、各パネルが吸音性、遮音性を有するパネル材など比較的厚みがあって大きいものになると、各パネルが偏荷重により斜めになって、見栄えが悪く、さらに、各パネルが偏荷重により斜めになっていると、各パネルを展開する場合に、各走行棒の走行性を損なうことになる、という問題がある。
【０００５】
本発明は、このような従来の問題を解決するものであり、この種の仮設パネルゲートにおいて、各パネルを多くの蝶番を用いることなく、容易に組み立てること、各パネルの大きさに関わらず、各パネルを折り畳む場合でも展開する場合でも各パネルを斜めにすることなく正常な姿勢に保持して見栄えを良好にすること、さらに、各走行棒の走行性を良好に維持することなど、を目的とする。
【課題を解決するための手段】
【０００６】
上記目的を達成するために、本発明は、左右に相互に対向して立設される一対の支柱、及びこれら支柱の上部間に架設される支持梁と、前記支持梁の下部に走行手段を介して走行可能にかつ回動手段を介して回動可能に吊り下げられる複数の走行棒と、前記各走行棒に折り畳み可能に取り付けられる複数のパネルとを備え、前記各支柱及び前記支持梁により仮設ゲートを形成し、前記仮設ゲートを前記各パネルの折り畳み又は展開により開閉する仮設パネルゲートにおいて、前記各走行棒の上下所定の位置にそれぞれ取り付けられ、前記各パネルの上下各端部を前記各パネルの正面側及び背面側から挟持して支持可能な溝形形状をなす上下の複数のパネルフレームと、前記上下の各パネルフレームにおいて相互に隣り合う各パネルフレームの上面、下面で当該上面、下面の端部付近の所定の位置にリング形状を有する取付部材が当該リング形状を前記各パネルフレームの折り畳み時の相互の対向面となる一方の側面から外側に突出して取り付けられ、当該取付部材に連結されて、前記各パネルフレームの端部間に取り付けられ、当該各パネルフレームを所定の一方向に折り畳み可能にかつ展開可能に前記隣り合う各パネルフレームの展開時にのみ当該隣り合う各パネルフレームの端部間を所定角度の略Ｖ字形若しくは略逆Ｖ字形又は略逆ハの字形若しくは略ハの字形に規制して保持可能な上下の複数のチェーンを含む索状部材からなる連結部材とを備え、前記各パネルを前記上下の各パネルフレーム間に支持して、前記隣り合う各パネルフレーム間の各連結部材の案内により折り畳み又は展開する、ことを要旨とする。
また、この装置は、さらに次のような構成を備えることが好ましい。
（１）上下のパネルフレームはそれぞれ各パネルの上端部及び下端部の延びる方向に対応する長さ方向略中央を各走行棒の所定の位置に合わせて略十字形に取り付けられ、前記各走行棒が前記各パネルを前記各パネルの背面側の両側部間略中央で支持可能な支持構造とする。
（２）上下の各パネルフレームと各走行棒との取付位置で前記各パネルフレームに略筒状の取付部材が設けられ、前記各走行棒に前記略筒状の取付部材が嵌挿可能な開口が形成されて、前記各パネルフレームは、前記各パネルフレームの前記取付部材が前記各走行棒の前記開口に嵌挿され、当該各取付部材に取付棒が挿着されて、前記各走行棒に着脱可能に取り付けられる。
（３）各パネル間に前記各パネル間を連結し、前記各パネル間の隙間を塞ぐカバーを着脱可能に備える。
【発明の効果】
【０００７】
本発明の仮設パネルゲートによれば、上記の構成により、各走行棒の上下所定の位置にそれぞれ、各パネルの上下各端部を各パネルの正面側及び背面側から挟持して支持可能な溝形形状をなす上下の複数のパネルフレームが設けられ、上下の各パネルフレームにおいて相互に隣り合う各パネルフレームの端部間に、当該各パネルフレームを所定の一方向に折り畳み可能にかつ展開可能に隣り合う各パネルフレームの展開時にのみ当該隣り合う各パネルフレームの端部間を所定角度の略Ｖ字形若しくは略逆Ｖ字形又は略逆ハの字形若しくは略ハの字形に規制して保持可能な上下の複数の連結部材を備え、各パネルを上下の各パネルフレーム間に支持して、隣り合う各パネルフレーム間の各連結部材の案内により折り畳み又は展開するようにしたので、各パネルを多くの蝶番を用いることなく、容易に組み立てることができ、また、各パネルの大きさに関わらず、各パネルを折り畳む場合でも展開する場合でも各パネルを斜めにすることなく正常な姿勢に保持して見栄えを良好にすることができ、さらに、各パネルを斜めにすることなく正常な姿勢に保持することにより、各走行棒の走行性を良好に維持することができる、という格別な効果を奏する。
【図面の簡単な説明】
【０００８】
【図１】本発明の一実施の形態による仮設パネルゲートを示す正面図
【図２】同パネルゲートの主要部を示す正面図
【図３】同パネルゲートの主要部を拡大して示す一部省略拡大斜視図
【図４】同パネルゲートに使用するパネルフレームと走行棒との取付構造を示す部分拡大背面図
【発明を実施するための形態】
【０００９】
次に、この発明を実施するための形態について図を用いて説明する。図１に仮設パネルゲートを示している。図１に示すように、仮設パネルゲート１は、左右に相互に対向して立設される一対の支柱１１，１１、及びこれら支柱１１，１１の上部間に架設される支持梁１２と、支持梁１２の下部に走行手段を介して走行可能にかつ回動手段を介して回動可能に吊り下げられる複数の走行棒１４と、各走行棒１４に折り畳み可能に取り付けられる複数のパネル２１とを備えて構成される。なお、このパネルゲート１では、略中央の２枚のパネル２１，２１間を境に右側の各パネル２１と左側の各パネル２１が左右に分かれて折り畳まれ、両開き可能に構成される。
【００１０】
一対の支柱１１，１１はそれぞれ鋼材からなり、各種工事現場などの出入口の左右両側にそれぞれアンカーを介して立ち上げ設置される。
支持梁１２は鋼材からなり、その下面に沿って各走行棒１４の走行手段としてガイドレール１３が取り付けられる。この場合、ガイドレール１３は鋼材により支持梁１２の下面の長手方向に向けて当該下面と略同じ長さに延びる断面略Ｃ字形のガイドレールとして形成され、その上面及び左右両側面（の内面）がガイド面、下面（の内面）が走行面で、下面の走行面に幅方向中央に長手方向に向けてスリットが設けられている。このガイドレール１３は支持梁１２の下面に溶接などにより接合される。このようにして支持梁１２はガイドレール１３が形成されて両端を各支柱１１，１１の上部にボルトにより固定されて各支柱１１，１１の上部間に架け渡される。
【００１１】
複数の走行棒１４はそれぞれ鋼材からなり、上部に軸１５１を介して走行棒１４の走行手段となる走行用ローラ１５が取り付けられ、下部に軸１６１を介して走行棒１４を振れ止めするためのリング１６が取り付けられる。この場合、走行用ローラ１５はガイドレール１３のガイド面内で下面の走行面上を走行可能に構成され、上部の軸１５１はガイドレール１３のスリットを挿通可能な軸で走行用ローラ１５に一体的に連結される。かかる走行用ローラ１５が軸１５１により走行棒１４の上部に相互に回動可能に取り付けられる。このようにして上部の走行用ローラ１５がガイドレール１３のガイド面内で走行面上を走行可能に内に組み入れられ、回転軸１５１がガイドレール１３の走行面のスリットに通されて、複数の走行棒１４はそれぞれガイドレール１３に沿って走行可能にかつガイドレール１３の各走行用ローラ１５に対して回動可能に吊り下げられる。また、下部のリング１６は軸１６１と一体に形成され、軸１６１により、各走行棒１４の下部に相互に回転可能に取り付けられる。各走行棒１４は下部のリング１６に左右の支柱１１，１１の下部間で地面より僅かに上方の所定の高さに張り渡される振れ止め用のワイヤ１７が通され、各走行棒１４の走行方向及び回動方向の動きを許容されて振れ止めされる。
【００１２】
また、これらの走行棒１４には上下所定の位置にそれぞれ、各パネル２１の上下各端部を各パネル２１の正面側及び背面側から挟持して支持可能な溝形形状をなす上下の複数のパネルフレーム１８が取り付けられる。
この場合、走行棒１４は、図３に示すように、断面コ字形の角材により形成され、上下のパネルフレーム１８，１８はそれぞれ後述する各パネル２１に対応させて各パネル２１の上端部又は下端部が嵌合可能な下面、上面に開口を有する箱形に形成され、一方の長い側面の両端に開口に連通する略矩形の切り欠き１８１が併せて形成される。このような上下のパネルフレーム１８，１８はそれぞれ、図２に示すように、各パネル２１の上端部及び下端部の延びる方向に対応する長さ方向略中央、この場合、上下の各パネルフレーム１８，１８の切り欠き１８１のない他方の側面の長さ方向中央を各走行棒１４の中央の面の上下所定の位置に略直角に合わせて略十字形に取り付けられ、各走行棒１４が各パネル２１を各パネル２１の背面側の左右両側部間の略中央で支持する支持構造になっている。
また、この場合、上下の各パネルフレーム１８，１８と各走行棒１４との取付位置、すなわち、各パネルフレーム１８の側面中央に、図４に示すように、略円筒状の取付部材１８２が２本その軸方向を上下に向けて平行に設けられ、各走行棒１４の中央の面に各パネルフレーム１８の各取付部材１８２が嵌挿可能に略矩形状の開口１４１が２箇所平行に形成されて、各パネルフレーム１８は、各パネルフレーム１８の各取付部材１８２が各走行棒１４の各開口１４１に嵌挿され、各走行棒１４の各取付部材１８２が嵌挿された側（走行棒１４の背面側）で各取付部材１８２に取付棒１８３が挿着されて、各走行棒１４に着脱可能に取り付けられる。
【００１３】
そして、図２に示すように、中央の一方の走行棒１４から右側の各走行棒１４に取り付けられる上下のパネルフレーム１８，１８と中央の他方の走行棒１４から左側の各走行棒１４に取り付けられる上下のパネルフレーム１８，１８と分けて、これら右側、左側の上下の各パネルフレーム１８において相互に隣り合う各パネルフレーム１８の端部間に、当該各パネルフレーム１８を所定の一方向に折り畳み可能にかつ展開可能に、隣り合う各パネルフレーム１８の展開時にのみ当該隣り合う各パネルフレーム１８の端部間を所定角度の略Ｖ字形若しくは略逆Ｖ字形又は略逆ハの字形若しくは略ハの字形に規制して保持可能な、上下の各パネルフレーム１８，１８の動きに合わせてフレキシブルに変形可能な上下の複数の連結部材１９が取り付けられる。
この場合、上下の各連結部材１９に、図３に示すように、索状部材、ここではチェーンが採用される。チェーン１９は、上下の各パネルフレーム１８，１８の上面、下面で当該上面、下面の端部付近の所定の位置にリング形状を有する取付部材２０が当該リング形状を各パネルフレーム１８の折り畳み時の相互の対向面となる一方の側面から外側に突出して取り付けられ、この取付部材２０に連結される。
また、この場合、取付部材２０はリング形状を開閉可能な例えばレバー式（リング形状の一部がレバーで、このレバーでリング形状を開閉できる形式）の周知の連結解除手段を有し、チェーン２０は取付部材２０に連結解除手段により着脱可能に連結され、隣り合う各パネルフレーム１８，１８間に着脱可能に取り付けられる。
【００１４】
また、このパネルゲート１では、図１に示すように、各パネル２１に多孔質吸音材からなるパネル基材とこのパネル基材を被覆する遮音性を有するパネルシートとからなり、全体が上下方向に長い長方形の板状に構成され、吸音性・防音性に優れたパネルが採用される。これらのパネル２１には、各パネル２１の側部間に各パネル２１の側部間を補助的に連結し、各パネル２１の側部間の隙間を塞ぐカバー２２が着脱可能に設けられる。この場合、カバー２２は、図３に示すように、相互に隣り合うパネル２１の一方のパネル２１のパネルシートの一端に他方のパネル２１のパネルシートの他端に重合可能な閉じ代として形成され、カバー２２の内面に雄側又は雌側の面ファスナが設けられ、他方のパネル２１のパネルシートの他端に雌側又は雄側の面ファスナが設けられて、各パネル２１の谷折の端部間は一方のパネル２１のパネルシート一端のカバー２２を他方のパネル２１のパネルシートの他端に重合接続し、山折りの端部間は一方のパネル２１のパネルシート一端のカバー２２と他方のパネル２１のパネルシートの他端との間にさらに同じ遮音材からなる別体の延長カバーを雄側及び雌側の面ファスナを介して接続するようになっている。これらのパネル２１は各走行棒１４への上下の各パネルフレーム１８，１８の取り付けとともに、上下の各パネルフレーム１８，１８間に差し込まれて取り付けられ、各パネルフレーム１８，１８の一端の切り欠き１８１から各カバー２２が外側に取り出されて各パネルフレーム１８，１８の他端の切り欠き１８１を通じてパネルシートの他端に重合され、各パネル２１，２１間で面ファスナを介して接続される。なお、この場合、最も左側及び右側の上下の各パネルフレーム１８，１８は支柱１１，１１側の端部がチェーンなどを用いて左右両側の各支柱１１，１１に連結固定される。
【００１５】
このようにしてこの仮設パネルゲート１では、各支柱１１，１１及び支持梁１２により仮設ゲートが形成され、支持梁１２の下面のガイドレール１３に吊り下げられる各走行棒１４の上下の各パネルフレーム１８，１８間に各パネル２１が支持されて、各パネル２１を隣り合う各パネルフレーム１８，１８間の各連結部材１９、この場合、各チェーン１９の案内により折り畳み又は展開することにより、仮設ゲートを開閉するようになっている。
【００１６】
図１では仮設パネルゲート１の各パネル２１を展開して、仮設ゲートを閉じた状態を示している。この場合、各パネル２１は各パネルフレーム１８，１８間のチェーン１９が伸び切った状態になっていて、これらのチェーン１９により隣り合う各パネルフレーム１８，１８の端部間が所定角度の略Ｖ字形若しくは略逆Ｖ字形又は略逆ハの字形若しくは略ハの字形に規制され、各パネルフレーム１８，１８の端部間に各パネルフレーム１８の開動時の引き動作によって各パネルフレーム１８を所定の一方向に折り畳み可能な角度状態が保持される。したがって、中央の各パネル１８，１８をそれぞれ右方向、左方向に引けば、右側中央のパネル２１は右側の折り畳み方向に回動して中央のパネル２１から順次右側の各パネル２１が右側方向に折り畳まれ、左側中央のパネル２１は左側の折り畳み方向に回動して中央のパネル２１から順次左側の各パネル２１が左側方向に折り畳まれる。このようにして左右のパネル２１がすべて右側、左側に分けて折り畳まれ、仮設ゲートが開かれる。また、この仮設パネルゲート１では各走行棒１４が各パネル２１を各パネル２１の背面側の左右両側部間の略中央で支持する支持構造になっているので、仮設ゲートの開状態で左右の各パネル２１の左右両側は支持梁１２の前後に略均等に張り出されてバランスが取れるので、各パネル２１が従来のように偏荷重により斜めになることがなく、正常な姿勢に保持され、また、各走行棒１４の走行性が良好に維持されることになる。
そして、この仮設ゲートの各パネル２１が折り畳まれて開放された状態から各パネル２１を展開して仮設ゲートを閉じる場合は、左右に折り畳まれた状態のパネル２１から手前にある中央のパネル２１をそれぞれ中央に向けて引けば、右側中央のパネル２１は走行用ローラ１５のスムーズな走行によりパネルフレーム１８が所定の一方向、すなわち展開方向に回動して中央のパネル２１から順次右側の各パネル２１が中央に向けて移動しながら展開され、左側中央のパネル２１もまた走行用ローラ１５のスムーズな走行によりパネルフレーム１８が所定の一方向、すなわち展開方向に回動して中央のパネル２１から順次左側の各パネル２１が中央に向けて移動しながら展開される。そして、各パネル２１は上下の隣り合う各パネルフレーム１８，１８間の各チェーン１９が伸び切った状態になると、これらのチェーン１９により上下の隣り合う各パネルフレーム１８，１８の端部間が所定角度の略Ｖ字形若しくは略逆Ｖ字形又は略逆ハの字形若しくは略ハの字形に規制され、各パネルフレーム１８，１８の端部間に各パネルフレーム１８の開動時の引き動作によって各パネルフレーム１８を所定の一方向に折り畳み可能な角度状態が保持される。これにより、既述のとおり、各パネル２１は従来のように偏荷重により斜めになることがなく、正常な姿勢に保持され、また、各走行棒１４の走行性が良好に維持されることになる。このようにしてすべてのパネル２１が展開されて、仮設ゲートが閉じられる。
【００１７】
以上説明したように、この仮設パネルゲート１によれば、各走行棒１４の上下所定の位置にそれぞれ、各パネル２１の上下各端部を各パネル２１の正面側及び背面側から挟持して支持可能な溝形形状をなす上下の複数のパネルフレーム１８，１８を取り付け、上下の各パネルフレーム１８，１８において相互に隣り合う各パネルフレーム１８，１８の端部間に、当該各パネルフレーム１８，１８を所定の一方向に折り畳み可能にかつ展開可能に隣り合う各パネルフレーム１８，１８の展開時にのみ当該隣り合う各パネルフレーム１８，１８の端部間を所定角度の略Ｖ字形若しくは略逆Ｖ字形又は略逆ハの字形若しくは略ハの字形に規制して保持可能な、上下の各パネルフレーム１８，１８の動きに合せてフレキシブルに変形可能な上下の複数の連結部材、この場合、チェーン１９を取り付け、各パネル２１を上下の各パネルフレーム１８，１８間に支持して、隣り合う各パネルフレーム１８，１８間の各チェーン１９の案内により折り畳み又は展開するようにしたので、各パネル２１を従来のように多くの蝶番を用いることなく、容易に組み立てることができ、また、各パネル２１の大きさに関わらず、各パネル２１を折り畳む場合でも展開する場合でも各パネル２１を斜めにすることなく正常な姿勢に保持して見栄えを良好にすることができる。そして、各パネル２１を斜めにすることなく正常な姿勢に保持することで、各走行棒１４の走行性を良好に維持することができる
【００１８】
また、この仮設パネルゲート１では、次のような構成により次のような作用効果を得ることができる。
（１）上下のパネルフレーム１８，１８をそれぞれ各パネル２１の上端部及び下端部の延びる方向に対応する長さ方向略中央を各走行棒１４の所定の位置に合わせて略十字形に取り付けて、各走行棒１４が各パネル２１を各パネル２１の背面側の左右両側部間の略中央で支持する支持構造としたので、仮設ゲート１の開状態で左右に折り畳まれた各パネル２１の左右両側を支持梁１２の前後に略均等に張り出してバランスを取ることができ、各パネル２１に偏荷重が生じることがなく、各パネル２１の正常な姿勢の保持と、各走行棒１４の良好な走行性に資することができる。
（２）上下の各パネルフレーム１８，１８と各走行棒１４との取付位置で各パネルフレーム１８に略円筒状の取付部材１８２を設け、各走行棒１４に略円筒状の取付部材１８２を嵌挿可能な矩形状の開口１４１を形成して、各パネルフレーム１８を、各パネルフレーム１８の取付部材１８２を各走行棒１４の開口１４１に嵌挿し、当該各取付部材１８２に取付棒１８３を挿着して、各走行棒１４に着脱可能に取り付けるので、上下の各パネルフレーム１８，１８の各走行棒１４への取り付けと、上下の各パネルフレーム１８，１８への各パネル２１の取り付けを共に少ない部品点数で容易に行え、コストの低減を図ることができる。
（３）上下の各連結部材１９にチェーンを採用し、チェーン１９を、上下の各パネルフレーム１８，１８の上面及び下面で当該上面及び下面の端部付近の所定の位置にリング形状を有する取付部材２０を当該リング形状を各パネルフレーム１８の折り畳み時の相互の対向面となる一方の側面から外側に突出するように取り付け、この取付部材２０に当該取付部材２０に有する連結解除手段を介して着脱可能に連結して、各パネルフレーム１８に着脱可能に取り付けるので、上下の各パネルフレーム１８，１８の連結部材１９を簡易な構成で容易に取り付けることができ、この簡易な構成によりコストの低減を図ることができる。
（４）各パネル２１の側部間に各パネル２１の側部間を連結し、各パネル２１の側部間の隙間を塞ぐカバー２２を着脱可能に設けたので、各パネル２１間の隙間を確実に覆って外観を良好にすることができ、また、各パネル２１間を補助的に連結することができる。
（５）支柱１１、支持梁１２及びガイドレール１３、走行棒１４、走行用ローラ１５、パネルフレーム１８、連結部材１９、パネル２１などがそれぞれ、相互の取り付け、取り外しが簡易で、各部材を不使用時は各別に分けておくことができ、各部材の保管管理や運搬を容易に行うことができる。
【００１９】
なお、この実施の形態では、このパネルゲート１が、中央の２つのパネル２１，２１間を境に右側の各パネル２１と左側の各パネル２１が左右に分かれて折り畳まれ、両開き可能に構成されるものとしたが、すべてのパネルフレーム１８を連結部材１９を介して連結することにより、一方の端部のパネル２１から順次各パネル２１を他方の端部に向けて折り畳んで、パネルゲート１を片開きにすることもできる。
また、この実施の形態では、連結部材１９に索状部材が採用され、特に、チェーンが例示されているが、金属製のワイヤやロープ、ゴム製や布製の紐などを利用することもでき、さらに、複数のリンク部材を連結してなる連結部材を採用することもできる。また、この連結部材１９はチェーンその他の索状部材に限定されるものではなく、チェーンなどと同じ作用を有するものであれば、他のものに適宜変更される。
さらに、この実施の形態では、パネル２１に吸音性・防音性に優れたパネルが採用されているが、このパネル２１は既存の各種パネルに変えることができる。
【符号の説明】
【００２０】
１  仮設パネルゲート
１１  支柱
１２  支持梁
１３  ガイドレール
１４  走行棒
１４１  開口
１５  走行用ローラ
１５１  軸
１６  リング
１６１  軸
１７  ワイヤ
１８  パネルフレーム
１８１  切り欠き
１８２  取付部材
１８３  取付棒
１９  連結部材（チェーン）
２０  取付部材
２１  パネル
２２  カバー
【図１】
0005470316.tif 000002
【図２】
0005470316.tif 000003
【図３】
0005470316.tif 000004
【図４】
0005470316.tif 000005